Podtech/llm-jp-corpus-v4-ja_patent huggingface dataset:
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
組合せ薬剤生成物として第１薬剤および少なくとも１つの他の薬剤の搬送に使用される一体式薬剤ディスペンサ装置であって、
前記第１薬剤の前記搬送のための第１薬剤ディスペンサと、
前記少なくとも１つの他の薬剤の前記搬送のための少なくとも１つの他の薬剤ディスペンサとを備え、
前記第１薬剤ディスペンサおよび前記少なくとも１つの他の薬剤ディスペンサにより、搬送時点まで、前記第１薬剤および前記少なくとも１つの他の薬剤を分離した状態で保持することが可能であり、前記第１薬剤ディスペンサが、前記少なくとも１つの他の薬剤ディスペンサとは、タイプが異なる、薬剤ディスペンサ装置。
【請求項２】
前記第１薬剤ディスペンサおよび唯一の他の薬剤ディスペンサを備える、請求項１に記載の薬剤ディスペンサ装置。
【請求項３】
第１薬剤および少なくとも１つの他の薬剤の吸入搬送に使用される薬剤ディスペンサ装置であって、前記第１薬剤ディスペンサが、リザーバ乾燥粉末吸入器（ＲＤＰＩ）、複数投与乾燥粉末吸入器（ＭＤＰＩ）、単位投与乾燥粉末吸入器（ＵＤＰＩ）、計量投与吸入器（ＭＤＩ）、および液体噴霧吸入器（ＬＳＩ）からなる群から選択され、少なくとも１つの他の薬剤ディスペンサが、リザーバ乾燥粉末吸入器（ＲＤＰＩ）、複数投与乾燥粉末吸入器（ＭＤＰＩ）、単位投与乾燥粉末吸入器（ＵＤＰＩ）、計量投与吸入器（ＭＤＩ）、および液体噴霧吸入器（ＬＳＩ）からなる群から選択される、薬剤ディスペンサ装置。
【請求項４】
前記第１薬剤ディスペンサが、リザーバ乾燥粉末吸入器（ＲＤＰＩ）であり、前記少なくとも１つの他の薬剤ディスペンサが、複数投与乾燥粉末吸入器（ＭＤＰＩ）、計量投与吸入器（ＭＤＩ）、および液体噴霧吸入器（ＬＳＩ）からなる群から選択されるタイプである、請求項１〜３のいずれかに記載の薬剤ディスペンサ装置。
【請求項５】
前記第１薬剤ディスペンサが、複数投与乾燥粉末吸入器（ＭＤＰＩ）であり、前記少なくとも１つの他の薬剤ディスペンサが、リザーバ乾燥粉末吸入器（ＲＤＰＩ）、計量投与吸入器（ＭＤＩ）、および液体噴霧吸入器（ＬＳＩ）からなる群から選択されるタイプである、請求項１〜３のいずれかに記載の薬剤ディスペンサ装置。
【請求項６】
前記第１薬剤ディスペンサが、計量投与吸入器（ＭＤＩ）であり、前記少なくとも１つの他の薬剤ディスペンサが、リザーバ乾燥粉末吸入器（ＲＤＰＩ）、複数投与乾燥粉末吸入器（ＭＤＰＩ）、および液体噴霧吸入器（ＬＳＩ）からなる群から選択されるタイプである、請求項１〜３のいずれかに記載の薬剤ディスペンサ装置。
【請求項７】
前記第１薬剤ディスペンサが、液体噴霧吸入器（ＬＳＩ）であり、前記少なくとも１つの他の薬剤ディスペンサが、リザーバ乾燥粉末吸入器（ＲＤＰＩ）、複数投与乾燥粉末吸入器（ＭＤＰＩ）、および計量投与吸入器（ＭＤＩ）からなる群から選択されるタイプである、請求項１〜３のいずれかに記載の薬剤ディスペンサ装置。
【請求項８】
前記複数投与乾燥粉末吸入器（ＭＤＰＩ）が、乾燥粉末形態の薬剤を包含するのに適した複数投与ブリスタ・パックを受け入れ取り出し可能なように構成されている、請求項３〜８のいずれかに記載の薬剤ディスペンサ装置。
【請求項９】
前記複数投与ブリスタ・パックが、細長いストリップに沿って連続的に構成されている複数のブリスタを備える、請求項８に記載の薬剤ディスペンサ装置。
【請求項１０】
前記ストリップ形態の複数投与ブリスタ・パックが、内部に画定された複数のブリスタ・ポケットを有する細長いベース・シートと、該ベース・シートに固定された細長いリッド・シートとを備え、前記細長いベース・シートとリッド・シートが、前記ブリスタ・ポケットへのアクセスを可能にするように、剥離されて分離可能である、請求項９に記載の薬剤ディスペンサ装置。
【請求項１１】
前記計量投与吸入器（ＭＤＩ）が、乾燥粉末形態の薬剤を収容するのに適したエアロゾル・キャニスタを受け入れ取り出し可能なように構成されている、請求項３〜８のいずれかに記載の薬剤ディスペンサ装置。
【請求項１２】
前記計量投与吸入器（ＭＤＩ）が、液体形態の薬剤を包含するのに適した液体容器を受け入れ取り出し可能なように構成されている、請求項３〜８のいずれかに記載の薬剤ディスペンサ装置。
【請求項１３】
前記第１薬剤ディスペンサおよび前記少なくとも１つの他の薬剤ディスペンサに対して連結したアクチュータをさらに備える、請求項１〜１２のいずれかに記載の薬剤ディスペンサ装置。
【請求項１４】
前記第１薬剤ディスペンサおよび前記少なくとも１つの他の薬剤ディスペンサから薬剤を受け取るための入口と、組合せ薬剤生成物を吸入のために患者に搬送するための出口とを含む混合室をさらに備える、請求項１〜１３のいずれかに記載の薬剤ディスペンサ装置。
【請求項１５】
前記出口が、共通マウスピースと連絡している、請求項１４に記載の薬剤ディスペンサ装置。
【請求項１６】
患者の呼吸を感知する呼吸センサをさらに備え、前記第１薬剤ディスペンサおよび／または前記少なくとも１つの他の薬剤ディスペンサの作動が、前記呼吸センサに応答する、請求項１〜１５のいずれかに記載の薬剤ディスペンサ装置。
【請求項１７】
前記第１薬剤ディスペンサが、前記第１薬剤を包含するための薬剤容器を含み、前記少なくとも１つの他の薬剤ディスペンサが、前記少なくとも１つの他の薬剤を包含するための少なくとも１つの他の薬剤容器を含む、請求項１〜１６のいずれかに記載の薬剤ディスペンサ装置。
【請求項１８】
前記第１薬剤容器が、前記第１薬剤を包含し、前記少なくとも１つの他の薬剤容器が、少なくとも１つの他の薬剤を包含する、請求項１７に記載の薬剤ディスペンサ装置。
【請求項１９】
前記第１薬剤が、気管支拡張剤を含み、前記少なくとも１つの他の薬剤が、抗炎症剤を含む、請求項１８に記載の薬剤ディスペンサ装置。
【請求項２０】
前記気管支拡張剤が、ベータアゴニストであり、前記抗炎症剤が、ステロイドである、請求項１９に記載の薬剤ディスペンサ装置。
【請求項２１】
前記気管支拡張剤が、サルブタモール、サロメテロール、ホルモテロール、ならびにその任意の塩または溶媒和物、およびその混合物からなる群から選択される、請求項２０に記載の薬剤ディスペンサ装置。
【請求項２２】
前記抗炎症剤が、ベクロメタゾンエステル、フルチカゾンエステル、ブデソニド、ならびにその任意の塩または溶媒和物、およびその混合物からなる群から選択される、請求項２０または２１のいずれかに記載の薬剤ディスペンサ装置。
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
組合せ薬剤生成物の搬送に使用される薬剤ディスペンサ装置であって、
第１薬剤成分を包含する第１薬剤容器と、
前記第１薬剤容器の内容物を放出する第１放出手段と、
少なくとも１つの他の薬剤成分を包含する少なくとも１つの他の薬剤容器と、
前記少なくとも１つの他の薬剤容器の各内容物を放出する少なくとも１つの他の放出手段と、
前記第１薬剤容器および少なくとも１つの他の薬剤容器の放出された内容物の混合を促進するための混合手段とを備え、
前記第１薬剤成分は、組み合わされて搬送のために放出される時点まで、前記少なくとも１つの他の薬剤成分と分離した状態に保持される、薬剤ディスペンサ装置。
【請求項２】
前記混合手段が、組み合わされて搬送される直前に前記放出内容物の混合を促進する、請求項１に記載の薬剤ディスペンサ装置。
【請求項３】
前記混合手段が、組み合わされて放出および搬送される構成部分として前記放出内容物の混合を促進する、請求項１または２のどちらかに記載の薬剤ディスペンサ装置。
【請求項４】
前記混合手段が、組合せの前記放出および前記搬送における固有のエネルギーを使用することによって、前記放出内容物を促進する、請求項１から３のいずれかに記載の薬剤ディスペンサ装置。
【請求項５】
前記混合手段が、患者によって入力されるエネルギーを使用することによって、前記放出内容物の混合を促進する、請求項１から４に記載の薬剤ディスペンサ装置。
【請求項６】
前記混合手段が、前記放出内容物の乱流混合によって与えられる、請求項１から５のいずれかに記載の薬剤ディスペンサ装置。
【請求項７】
前記混合手段が、混合を促進するように構成された機械的特徴を備える１つまたは複数の機械式混合プロモータを備える、請求項１から６のいずれかに記載の薬剤ディスペンサ装置。
【請求項８】
前記１つまたは複数の機械式混合プロモータが、バフル、プロペラ、パドル、ベーン、およびベンチュリからなる群から選択される機械的特徴を備える、請求項７に記載の薬剤ディスペンサ装置。
【請求項９】
前記混合手段が、各薬剤容器から放出された薬剤成分を受け取るための入口と、搬送のために組合せ薬剤生成物を患者に搬送するための共通出口とを含む混合室を備える、請求項１から８のいずれかに記載の薬剤ディスペンサ装置。
【請求項１０】
前記混合室の内表面が、混合を促進するように成形される、請求項９に記載の薬剤ディスペンサ装置。
【請求項１１】
前記混合室の内表面が、１つまたは複数の凹みまたは突出を備える、請求項１０に記載の薬剤ディスペンサ装置。
【請求項１２】
前記混合手段が、前記放出内容物の混合にエネルギーを与えるエネルギー印加手段を備える、請求項１から１１のいずれかに記載の薬剤ディスペンサ装置。
【請求項１３】
吸入装置の形態において、前記混合室が、前記放出内容物の混合を促進するために、患者の吸い込み呼吸によって提供されるエネルギーを利用するように構成される、請求項９から１２のいずれかに記載の薬剤ディスペンサ装置。
【請求項１４】
前記混合室が、前記患者の吸い込み呼吸のベンチュリ流路に備える、請求項１３に記載の薬剤ディスペンサ装置。
【請求項１５】
前記第１薬剤容器および唯一の他の薬剤容器を備える、請求項１から１４のいずれかに記載の薬剤ディスペンサ装置。
【請求項１６】
前記第１薬剤容器および前記少なくとも１つの他の薬剤容器と関連付けられた少なくとも１つの作動インジケータを含む、請求項１から１５のいずれかに記載の薬剤ディスペンサ装置。
【請求項１７】
前記第１薬剤容器および少なくとも１つの薬剤容器から内容物を放出する相対時間を制御するタイミング制御を含む、請求項１から１６のいずれかに記載の薬剤ディスペンサ装置。
【請求項１８】
前記第１薬剤容器が、前記第１薬剤を包含し、前記少なくとも１つの他の薬剤容器が、前記少なくとも１つの薬剤を包含する、請求項１７に記載の薬剤ディスペンサ装置。
【請求項１９】
前記第１薬剤が、気管支拡張剤を備え、前記少なくとも１つの他の薬剤が、抗炎症剤を備える、請求項１８に記載の薬剤ディスペンサ装置。
【請求項２０】
前記気管支拡張剤が、ベータアゴニストであり、前記抗炎症剤が、ステロイドである、請求項１９に記載の薬剤ディスペンサ装置。
【請求項２１】
前記気管支拡張剤が、サルブタモール、サルメテロール、ホルモテロール、ならびにその任意の塩または溶媒化合物、およびその混合物からなる群から選択される、請求項２０に記載の薬剤ディスペンサ装置。
【請求項２２】
前記抗炎症剤が、ベクロメタゾンエステル、フルチカゾンエステル、ブデソニド、ならびにその任意の塩または溶媒化合物、およびその混合物からなる群から選択される、請求項２０または２１のどちらかに記載の薬剤ディスペンサ装置。
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
重量平均分子量が少なくとも約２０００であるフリーラジカル重合可能な多官能性ポリ（アルキレンオキシド）マクロモノマーの、ホモポリマーまたはコポリマーを含むゲル材料を含み、該多官能性ポリ（アルキレンオキシド）マクロモノマーが、次式：
−（−ＣＨ（Ｒ1）−ＣＨ2−Ｏ−）m・・・（−ＣＨ2−ＣＨ2−Ｏ−）n−
（式中、ｍ：ｎのモル比は、約１：９から約９：１の範囲内であり、Ｒ1は、（Ｃ１〜Ｃ４）アルキル基である）
の共重合性ランダムアルキレンオキシド部分を含む医療用品。
【請求項２】
次式：
−（−ＣＨ（Ｒ1）−ＣＨ2−Ｏ−）m・・・（−ＣＨ2−ＣＨ2−Ｏ−）n−
（式中、ｍ：ｎのモル比は、約１：９から約９：１の範囲内であり、Ｒ1は、（Ｃ１〜Ｃ４）アルキル基である）
の共重合性アルキレンオキシド部分を含む重量平均分子量が少なくとも約２０００であるフリーラジカル重合可能な多官能性ポリ（アルキレンオキシド）マクロモノマー；
単官能性ポリ（アルキレンオキシド）モノマー；および
極性モノマー
を含むモノマーから調製されたコポリマーを含むゲル材料を含む医療用品。
【請求項３】
フィルム；
次式：
−（−ＣＨ（Ｒ1）−ＣＨ2−Ｏ−）m・・・（−ＣＨ2−ＣＨ2−Ｏ−）n−
（式中、ｍ：ｎのモル比は、約１：９から約９：１の範囲内であり、Ｒ1は、（Ｃ１〜Ｃ４）アルキル基である）
の共重合性アルキレンオキシド部分を含む重量平均分子量が少なくとも約２０００であるフリーラジカル重合可能な多官能性ポリ（アルキレンオキシド）マクロモノマーの重合物を含むゲル材料；および
有孔フィルム
を含む医療用品。
【請求項４】
次式：
−（−ＣＨ（Ｒ1）−ＣＨ2−Ｏ−）m・・・（−ＣＨ2−ＣＨ2−Ｏ−）n−
（式中、ｍ：ｎのモル比は、約１：９から約９：１の範囲内であり、Ｒ1は、（Ｃ１〜Ｃ４）アルキル基である）
の共重合性ランダムアルキレンオキシド部分を含む多官能性マクロモノマーであって、
【化１７】
2005533531.tif 000001
【化１８】
2005533531.tif 000002
【化１９】
2005533531.tif 000003
、およびそれらの混合物
（式中、Ｒ2はＨまたはＣＨ3であり、Ｒ3は芳香族基、脂肪族基、脂環基、またはそれらの組み合わせであり、Ｗはアルキレンまたはアルキレンオキシド基である）
からなる群から選択される２つ以上の末端基を含む多官能性マクロモノマー。
【請求項５】
次式：
−（−ＣＨ（Ｒ1）−ＣＨ2−Ｏ−）m・・・（−ＣＨ2−ＣＨ2−Ｏ−）n−
（式中、ｍ：ｎのモル比は、約１：９から約９：１の範囲内であり、Ｒ1は、（Ｃ１〜Ｃ４）アルキル基である）
の共重合性ランダムアルキレンオキシド部分を含む多官能性マクロモノマーであって、
【化２２】
2005533531.tif 000004
【化２３】
2005533531.tif 000005
、およびそれらの混合物
（式中、Ｒ2はＨまたはＭｅであり、ｒ＝２〜１０である）
からなる群から選択される２つ以上の末端基を含む分子量が少なくとも約２０００である多官能性マクロモノマー。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
チタンまたはその合金、ジルコニウムまたはその合金、タンタルまたはその合金、ハフニウムまたはその合金、ニオブまたはその合金およびクロム−バナジウム合金からなる群から選択される金属材料（Ａ）を含む医療補綴器具であって、金属材料（Ａ）の表面部分が水酸化チタン、水酸化ジルコニウム、水酸化タンタル、水酸化ハフニウム、水酸化ニオブおよび水酸化クロムおよび／または水酸化バナジウムから選択される、それぞれに対応する水酸化物材料（Ｂ）の層でコートされていることを特徴とする医療補綴器具。
【請求項２】
金属材料（Ａ）がチタンまたはその合金、好ましくはチタンである請求項１に記載の器具。
【請求項３】
哺乳動物の身体中に器具が配置されるときに、金属水酸化物材料（Ｂ）が骨または他の組織と接触する表面に結びついている請求項１または２に記載の器具。
【請求項４】
大腿骨股関節；大腿骨頭；寛骨臼杯；幹状部、楔状部、関節挿入体を含む肘；大腿骨および脛骨の構成部、幹状部、楔状部、関節挿入体または膝蓋骨構成部を含む膝；幹状部および頭部を含む肩；手首；足首；手；指；つま先；椎骨；脊椎椎間板；人工関節；歯科インプラント；小骨形成インプラント；キヌタ骨、ツチ骨、アブミ骨、キヌタ骨−アブミ骨、ツチ骨−キヌタ骨、ツチ骨−キヌタ骨−アブミ骨を含む中耳インプラント；蝸牛インプラント；クギ、ネジ、ステープルおよび板のような整形手術用固定器具；心臓弁；ペースメーカー；カテーテル；管；空間充填インプラント；補聴器を保持するためのインプラント；外部固定のためのインプラント；子宮内器具（ＩＵＤ）；および蝸牛管内または頭蓋内電子機器のような生体エレクトロニクス器具のような生体組織に代替するまたは、これらの身体の機能をもとに戻す、請求項１〜３のいずれか１項に記載の器具。
【請求項５】
無菌である請求項１〜４のいずれか１項に記載の器具。
【請求項６】
水酸化物材料（Ｂ）の層がこれと共存する１つまたはそれ以上の生体分子物質（Ｃ）を含む請求項１〜５のいずれか１項に記載の器具。
【請求項７】
生体分子物質（Ｃ）が、天然のまたは組み換え型の生体接着剤；天然または組み換え型の細胞付着因子；天然、組み換え型のまたは合成的な生体ポリマー；天然または組み換え型の血液タンパク質；天然または組み換え型の酵素；天然または組み換え型の細胞外基質タンパク質；天然または合成的な細胞外基質生体分子；天然または組み換え型の成長因子およびホルモン；天然、組み換え型のまたは合成的なペプチドホルモン；天然、組み換え型のまたは合成的なデオキシリボ核酸；天然、組み換え型のまたは合成的なリボ核酸；天然または組み換え型の受容体；酵素阻害剤；薬物；生物学的活性のある陰イオンおよび陽イオン；ビタミン；アデノシン一リン酸（ＡＭＰ）、アデノシン二リン酸（ＡＤＰ）またはアデノシン三リン酸（ＡＴＰ）；マーカー生体分子；アミノ酸；脂肪酸；ヌクレオチド（ＲＮＡおよびＤＮＡ塩基）；および糖からなる物質群から選択される請求項６に記載の器具。
【請求項８】
生体分子物質（Ｃ）が水酸化物材料（Ｂ）の表面上に存在し、包接化合物として存在し、および／または水酸化物材料中に捕捉されている請求項６または７に記載の器具。
【請求項９】
生体分子物質（Ｃ）が１ｍｍ2あたり１ピコグラム〜１ｍｇ、好ましくは１
ｍｍ2あたり０.１ナノグラム〜１００マイクログラムの量で水酸化物材料（Ｂ）と共存する請求項６〜８のいずれか１項に記載の器具。
【請求項１０】
金属材料（Ａ）の表面部分を７.０を越えるｐＨで電気分解処理に付して水酸化物材料
（Ｂ）の層を形成し、場合によっては続けて殺菌処理を行うことからなる請求項１に記載の医療補綴器具を製造する方法。
【請求項１１】
電気分解処理が１つまたはそれ以上の生体分子物質（Ｃ）の存在下で７.０を越えるｐ
Ｈで実施される請求項１０に記載の方法。
【手続補正２】
【補正対象書類名】明細書
【補正対象項目名】００１４
【補正方法】変更
【補正の内容】
【００１４】
このような器具の非限定的な例は、大腿骨股関節；大腿骨頭；寛骨臼杯；幹状部、楔状部、関節挿入体を含む肘；大腿骨および脛骨の構成部、幹状部、楔状部、関節挿入体または膝蓋骨構成部を含む膝；幹状部および頭部を含む肩；手首；足首；手；指；つま先；椎骨；脊椎椎間板；人工関節；歯科インプラント；小骨形成インプラント；キヌタ骨、ツチ骨、アブミ骨、キヌタ骨−アブミ骨、ツチ骨−キヌタ骨、ツチ骨−キヌタ骨−アブミ骨を含む中耳インプラント；蝸牛インプラント；クギ、ネジ、ステープルおよび板のような整形手術用固定器具；心臓弁；ペースメーカー；カテーテル；管；空間充填インプラント；補聴器を保持するためのインプラント；外部固定のためのインプラント；そしてまた子宮内器具（ＩＵＤ）；および蝸牛管内または頭蓋内電子機器生体エレクトロニクス器具のような生体組織に代替しそして／またはこれらの身体の機能をもとに戻す医療器具である。
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
身体側と衣類側とを有する第１の身体パネルと、
身体側と衣類側とを有する第２の身体パネルと、
前記第１の身体パネルの前記身体側に取り付けられ、前記第２の身体パネルの前記身体側に解放可能に取り付けられた締結部材と、を備え、
前記締結部材は、該締結部材の衣類側に形成された再締結部分を備え、該再締結部分は前記第２身体パネルの前記身体側に取り外し可能に取り付けられており、前記再締結部分は前記第２身体パネルと直接係合するものであることを特徴とする再締結可能な吸収性衣類。
【請求項２】
前記締結部材が、前記身体パネルの前記身体側に固定的に取り付けられた請求項１に記載の吸収性衣類。
【請求項３】
前記締結部材が、前記第１の身体パネルの前記身体側に結合された請求項２に記載の吸収性衣類。
【請求項４】
前記締結部材が、前記第１の身体パネルの前記身体側に超音波結合された請求項３に記載の吸収性衣類。
【請求項５】
身体側と衣類側とを有する第１の身体パネルと、
身体側と衣類側とを有する第２の身体パネルと、
前記第１の身体パネルの前記身体側に取り付けられ、前記第２の身体パネルの前記身体側に解放可能に取り付けられた締結部材と、を備え、
前記締結部材が、前記第１の身体パネルの前記身体側に解放可能に取り付けられていることを特徴とする再締結可能な吸収性衣類。
【請求項６】
前記締結部材が、前記第１の身体パネルの前記身体側に取り付けられた第１の部分と、前記第２の身体パネルの前記身体側に解放可能に取り付けられた第２の部分とを備え、前記第１の部分と前記第２の部分とがヒンジ結合された請求項１に記載の吸収性衣類。
【請求項７】
前記第１及び第２の身体パネルの各々が外方側縁を備え、前記第１及び第２の部分の各々が、内方縁と外方縁とを備え、前記第１及び第２の部分の前記外方縁が、それぞれ、前記第１及び第２の部分の前記内方縁より、前記第１及び第２の身体パネルの前記外方側縁の近くに配置され、前記第１及び第２の部分の前記外方縁がヒンジ結合された請求項６に記載の吸収性衣類。
【請求項８】
前記第１及び第２の部分が、折り畳まれた縁部に沿ってヒンジ結合された第１及び第２の折り畳み部を備えた請求項６に記載の吸収性衣類。
【請求項９】
前記第１の部分が前記第２の部分に結合された請求項６に記載の吸収性衣類。
【請求項１０】
前記第１及び第２の部分が身体側と衣類側とを有し、前記吸収性衣類が折り畳まれた状態であるとき、前記第１及び第２の部分の各々の前記身体側が、接触している前記第１及び第２の身体パネルの前記身体側と接触しており、前記第１の部分の前記衣類側が、前記第１の身体パネルの前記身体側に取り付けられ、前記第２の部分の前記衣類側が、前記第２の身体パネルの前記身体側と解放可能に係合された、請求項６に記載の吸収性衣類。
【請求項１１】
前記再締結可能な部分がフック部材のアレイを備えた請求項１に記載の吸収性衣類。
【請求項１２】
前記再締結可能な部分が接着剤を備えた請求項９に記載の吸収性衣類。
【請求項１３】
前記第１の身体パネルが後身体パネルであり、前記第２の身体パネルが前身体パネルである請求項１に記載の吸収性衣類。
【請求項１４】
前記第１及び第２の身体パネルが単一部品の身体シャーシの一部として一体に形成された請求項１に記載の吸収性衣類。
【請求項１５】
再締結可能な吸収性衣類を組み立てる方法であって、
身体側と衣類側とを有する第１の身体パネルを準備し、
身体側と衣類側とを有する第２の身体パネルを準備し、
各々が身体側と衣類側とを有する第１及び第２の部分を備えた締結部材を準備し、
前記第１の部分の前記身体側が前記第２の部分の前記身体側に面し、前記第１の部分と前記第２の部分とがヒンジ結合されており、
前記締結部材の前記第１の部分の前記衣類側を、前記第１の身体パネルの前記身体側に取り付け、
前記第２の身体パネルの前記身体側を、前記締結部材の前記第２の部分の前記衣類側に解放可能に直接取り付ける、
ことからなる方法。
【請求項１６】
前記締結部材の前記第１の部分の前記衣類側を、前記第１の身体パネルの前記身体側に適用することが、前記締結部材の前記第１の部分の前記衣類側を、前記第１の身体パネルの前記身体側に固定取り付けすることを含む請求項１５に記載の方法。
【請求項１７】
前記締結部材の前記第１の部分の前記衣類側を前記第１の身体パネルの前記身体側に固定取り付けすることが、前記締結部材の前記第１の部分の前記衣類側を、前記第１の身体パネルの前記身体側に結合することを含む請求項１６に記載の方法。
【請求項１８】
前記締結部材の前記第１の部分の前記衣類側を、前記第１の身体パネルの前記身体側に適用することが、前記締結部材の前記第１の部分の前記衣類側を、前記第１の身体パネルの前記身体側に解放可能に固定することを含む請求項１５に記載の方法。
【請求項１９】
前記第１及び第２の身体パネルの各々が外方側縁を備え、前記第１及び第２の部分の各々が、内方縁と外方縁とを備え、前記第１及び第２の部分の前記外方縁が、それぞれ、前記第１及び第２の部分の前記内方縁より、前記第１及び第２の身体パネルの前記外方側縁の近くに配置され、前記第１及び第２の部分の前記外方縁がヒンジ結合された請求項１５に記載の方法。
【請求項２０】
前記第１及び第２の部分が、折り畳まれた縁部に沿ってヒンジ結合された第１及び第２の折り畳み部を備えた請求項１５に記載の方法。
【請求項２１】
前記第１の部分が前記第２の部分に結合された請求項１５に記載の方法。
【請求項２２】
再締結可能な吸収性衣類を製造する方法であって、
身体側と衣類側とを有する第１の身体パネルウェブを機械方向に移動させ、
身体側と衣類側とを有する第２の身体パネルウェブを機械方向に移動させ、
各々が身体側と衣類側とを有する第１及び第２の部分の各々を備えた複数の締結部材を準備し、
続けて、前記締結部材の前記第１の部分の前記衣類側を前記第１の身体パネルウェブの前記身体側に取り付け、
続けて、前記第２の身体パネルウェブの前記身体側を前記締結部材の前記第２の部分の前記衣類側に解放可能に直接取り付ける、
ことからなる方法。
【請求項２３】
前記複数の前記第１及び第２の締結部材の各々が中央領域を含み、更に、次に、前記締結部材の前記第１の部分の前記中央領域を、前記締結部材の前記第２の部分の前記中央領域に固定して、次に、前記第１及び第２の身体パネルウェブと前記第１及び第２の部分とを、前記第１及び第２の締結部材の前記中央領域に沿って切断して、複数の個別の吸収性衣類を形成することを含む請求項２２に記載の方法。
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
使い捨て吸収性物品であって、
外側カバーと、
前記外側カバーに少なくとも部分的に結合された身体側ライナと、
前記外側カバーと前記身体側ライナとの間に配置され、初期厚さ（ｔi）を有し、最終厚さ（ｔf）、
2005533528.tif 000001
にまで膨潤可能な、膨潤可能な吸収体コアと、
を備え、
前記使い捨て吸収性物品が約３００ｇ又はそれより少ない全吸収能力を有することを特徴とする使い捨て吸収性物品。
【請求項２】
2005533528.tif 000002
である請求項１に記載の使い捨て吸収性物品。
【請求項３】
初期厚さが約２．０ｍｍより少ない請求項１又は２に記載の使い捨て吸収性物品。
【請求項４】
前記吸収性物品が約３．０ｍｍより少ない初期厚さを有する請求項１〜３のいずれか１項に記載の使い捨て吸収性物品。
【請求項５】
前記吸収体コアが少なくとも約２５ｍｍの幅を有する請求項１〜４のいずれか１項に記載の使い捨て吸収性物品。
【請求項６】
前記吸収体コアが少なくとも約１００ｇの全吸収能力を有する請求項１〜５のいずれか１項に記載の使い捨て吸収性物品。
【請求項７】
前記吸収体コアが高膨潤吸収性材料を備えた請求項１〜６のいずれか１項に記載の使い捨て吸収性物品。
【請求項８】
前記吸収体コアの上に置かれたサージ層を更に備えた請求項１〜７のいずれか１項に記載の使い捨て吸収性物品。
【請求項９】
吸収性衣類であって、
外側カバーと前記外側カバーに重なり合う関係で接続された身体側ライナとを有する吸収性シャーシと、
前記外側カバーと前記身体側ライナとの間に配置され、予想放出体積の約３倍より大きくない合計吸収能力を有する吸収体コアと、
を備え、
前記吸収体コアは、放出により、該吸収体コアの初期乾燥厚さの少なくとも約３倍大きい最終湿潤厚さにまで膨潤可能であることを特徴とする吸収性衣類。
【請求項１０】
前記最終厚さが約３．７５ｍｍより大きい請求項９に記載の吸収性衣類。
【請求項１１】
前記吸収体コアが約３０ｇから約４００ｇまでの全吸収能力を有する請求項９に記載の吸収性衣類。
【請求項１２】
一回放出用トレーニングパンツ、おむつ、幼児用トレーニングパンツ、または成人用失禁用衣類である、請求項９〜１１のいずれか１項に記載の吸収性衣類。
【請求項１３】
使い捨て吸収性物品であって、
外側カバーと、
前記外側カバーに少なくとも部分的に結合された身体側ライナと、
前記外側カバーと前記身体側ライナとの間に配置され、初期厚さ（ｔi）を有し、最終厚さ（ｔf）、
2005533528.tif 000003
にまで膨潤可能な、膨潤可能な吸収体コアと、
を備え、これによって空隙領域が前記膨潤可能な吸収体コアに形成され、
前記使い捨て吸収性物品が約３００ｇ又はそれより少ない全吸収能力を有することを特徴とする使い捨て吸収性物品。
【請求項１４】
前記吸収体コアが約２５ｍｍから約７００ｍｍまでの長さを有する請求項１〜８及び１３のいずれか１項に記載の使い捨て吸収性物品。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
骨誘導物質を使用して骨を誘導し、かつ／または歯根の抜去によって形成された顎骨穴（４）内に装着されたインプラント（５）の安定性を高めるための構成であって、初期段階で、インプラントは、一方において、その内側部分（５ｂ）を介して穴内に固定または装着され、その外側部分（５ａ）により、それは、インプラントの外側部分（５ａ）の断面積（Ｄ’）を越える断面積（ｄ’）を有する穴の部分（４ａ）に延在し、他方において、骨膜の有無に関わらず軟組織と共に閉鎖空間（４ａ）を形成するように配置される構成において、骨誘導物質が、インプラント上またはインプラント内に、例えばインプラントの外側部分（５ａ）の外面または外ねじに配設される成長刺激物質（ＧＳＳ）から構成され、単数または複数の物質が初期段階に続くインプラントの取込みの段階で、閉鎖空間内に浸透した体液（９）内に移動し、液中に存在する細胞と相互作用し、それにより新生骨がインプラントの外側部分（５ａ）の周囲に形成されることを特徴とする構成。
【請求項２】
単数または複数の成長刺激物質が基本的に、インプラントの前記外側部分にのみ配設されることを特徴とする、請求項１に記載の構成。
【請求項３】
単数または複数の成長刺激物質がインプラントの外側表面または外ねじの外部に存する一層またはそれ以上の層として配設されることを特徴とする、請求項１ないし２のいずれかに記載の構成。
【請求項４】
インプラントに成長刺激物質用の貯蔵機能、およびおそらく他の骨成長刺激手段および／または骨量を増加する手段および／または新生骨を生成する手段が配設されることを特徴とする、請求項１ないし３のいずれかに記載の構成。
【請求項５】
前記貯蔵機能が少なくとも前記外側部分（５ａ）の微細孔を備えた外層および／または酸化物層から構成することができることを特徴とする、請求項４に記載の構成。
【請求項６】
前記閉鎖空間（４ａ）の一部分、例えば前記外側部分（５ａ）またはその付近に、前記成長刺激物質と共に骨代替物が配設されることを特徴とする、請求項１ないし５のいずれかに記載の構成。
【請求項７】
穴の内側部分（４ｂ）の断面積より大きい穴の外側部分（４ａ）の断面積を穴（４）に与える歯根の抜去によって形成された顎骨穴における使用方法であって、インプラント（５）と穴の壁（４ａ’）との間の骨膜によって閉鎖された空間（４ａ）内に骨を新生するために、インプラントに移植され、前記空間（４ａ）内に浸透するか浸透した細胞包含体液（１０）と相互作用する成長刺激物質を利用することを特徴とする使用方法。
【請求項８】
層内に含まれる成長刺激物質が単独で、または他の物質と一緒に、骨の新生の供給源として使用されることを特徴とする、請求項７に記載の使用方法。
【請求項９】
前記成長刺激物質が量増加／刺激物質、例えば骨代替物と一緒に使用されることを特徴とする、請求項７または８に記載の使用方法。
【請求項１０】
歯根の抜去によって形成された顎骨穴（４）に装着され、その外側部分（５ａ）が、前記外側部分の断面積（Ｄ’）を超える断面積（ｄ’）を有する穴の部分（４ａ）内に延在するように構成されたインプラントであって、一方において、新生骨が形成されるように体液中の細胞と相互作用するために顎骨穴に関連して配設される成長刺激物質（ＧＳＳ）の形の骨誘導物質が施与され、他方において、その内側部分が顎骨の穴の内側部分の広がりと密接してまたは実質的に近接して形成されることを特徴とするインプラント。
【請求項１１】
前記インプラントが歯根と実質的に同一線上に延在するように構成されることを特徴とする、請求項１０に記載のインプラント。
【請求項１２】
前記インプラントがその内側部分で前記インプラントの主たる長手方向の広がりに対して弯曲することを特徴とする、請求項１０または１１に記載のインプラント。
【請求項１３】
前記インプラントが主方向に対して完全または部分的に弯曲した二つまたは三つの部分を持つように設計されることを特徴とする、請求項１２に記載のインプラント。
【請求項１４】
前記穴に装着されたときに、内側部分と穴の壁との間に一つまたはそれ以上の空間が形成されることができ、前記空間内で前記相互作用が行われるように意図されることを特徴とする、請求項１０ないし１３のいずれかに記載のインプラント。
【手続補正２】
【補正対象書類名】明細書
【補正対象項目名】００１２
【補正方法】変更
【補正の内容】
【００１２】
本発明に係る構成を特徴付けるものと基本的にみなすことができる特長は、とりわけ、生物活性物質が、インプラント上またはインプラント内に、例えばインプラントの外側部分の外面または外ねじに配設されるＧＳＳから構成されることである。インプラントの取込みの段階で、前記ＧＳＳは、周囲の組織および骨膜から上述した閉鎖空間内に浸透したかあるいは浸透中である体液内に移動し、液中に存在する細胞と相互作用し、それはインプラントの前記外側部分の周囲の新生骨の形成を導く。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
好ましくは不完全または不規則に延在する顎骨（２）の割り当てられた顎骨穴（２ｃ）に配設された少なくとも一本のインプラント（６）用に、生物活性または骨誘導物質を使用して骨をベースとする側方支持体（１８、１８’）を形成するための構成であって、前記インプラントが、顎骨の骨膜の有無に関わらずそれを軟組織によって、あるいは顎骨に適用されるユニット、例えば金属をベースとする膜または高分子の剛直な膜によって、完全にまたは部分的に被覆することができるように配設され、かつ、前記インプラントが完全にまたは部分的に被覆されたときに、軟組織およびおそらく骨膜、および／または前記ユニット、ならびに問題の顎骨の上面または側面と共に、一つまたはそれ以上の空間を形成し、細胞を含む体液が少なくとも前記顎骨から前記空間内に浸透するように適応された構成において、前記生物活性または骨誘導物質が、ＧＳＳと呼ばれる細胞間質分子、成長因子、および分化因子、および／または成長刺激特性を持つペプチド等から構成され、前記インプラント内または上に、好ましくは、初期段階で顎骨から露出した一つもしくはそれ以上の外部側面または一つもしくはそれ以上の外ねじ部に配設され、前記ＧＳＳが初期段階に続く取込みの段階で各閉鎖空間内へ通過し、前記細胞と相互作用または一体化し、こうしてインプラント用の前記骨をベースとする側方支持体を形成することを特徴とする構成。
【請求項２】
前記顎骨穴（２ｃ）およびしたがってインプラント（６）が水平面内の顎骨の実中心線に対して偏位した位置を持ち、従って前記初期段階のインプラントが、他の側面部または外ねじ部より大きい露出度を有する第一側面部または外ねじ部を有し、取込みの段階後には、骨をベースとする側方支持体が前記第一側面部または外ねじ部に増大した骨被覆度をもたらすように意図されていることを特徴とする、請求項１に記載の構成。
【請求項３】
顎骨の左右方向の広がりに沿って割り当てられた顎骨穴に配設される二本またはそれ以上のインプラントが、欠損部もしくは深さが不規則でありかつ／または横方向に不規則な部分に配設されること、および取込みの段階で、前記インプラントが顎骨の欠損部または不規則部分を実質的に充填し、取込みの段階後にインプラントに実質的に同程度の陥凹が得られることを特徴とする、請求項１または２に記載の構成。
【請求項４】
顎骨が縦方向にひどく縮退している場合、全てのインプラントに、縦方向に実質的に全く同じように伸長する、骨をベースとする側方支持体を付与することを特徴とする、請求項１、２または３に記載の構成。
【請求項５】
インプラントの他の部分（６ｂ）より露出度が大きい各インプラントの第一部分（６ａ）に、前記他の部分より高濃度または低濃度のＧＳＳを被覆することを特徴とする、請求項１、２、３、または４に記載の構成。
【請求項６】
ユニット（１９）は、一時的にまたは永久的に顎骨に取り付けられることができ、ユニットが一時的に取り付けられるときは初期段階および取込みの段階中に適用されることを特徴とする、請求項１〜５のいずれかに記載の構成。
【請求項７】
ユニットは、ユニットが適用されるときにそれぞれのインプラント（６）の側面（６ａ）または外ねじ部分の方向に向けられる、内曲り面（１９ａ）を有することを特徴とする、請求項１または６に記載の構成。
【請求項８】
ユニットが、インプラントの上面または外面（６ｄ’）の上に完全にまたは部分的に伸長する上部（１９ｂ）を有することを特徴とする、請求項１、６または７に記載の構成。
【請求項９】
顎穴（２ｃ）の壁によって被覆されたその面において、インプラントが層内またはインプラントと壁（２ｃ）との間の空隙（１５）内の体液の蓄積とともに作用することを特徴とする、請求項１〜８のいずれかに記載の構成。
【請求項１０】
初期段階で露出したインプラントの外面（６ａ）が、インプラントの周方向に見て２０〜１８０°、好ましくは３０〜１２０°の間延在することを特徴とする、請求項１〜９のいずれかに記載の構成。
【請求項１１】
初期段階で露出したインプラントの外面が、高さ方向（Ｈ）に見て２０〜８０％、好ましくは３０〜７０％延在することを特徴とする、請求項１〜１０のいずれかに記載の構成。
【請求項１２】
ユニットが、初期段階でインプラントの方向に露出したその外面（６ａ）にＧＳＳを塗布されることを特徴とする、請求項１、６、７または８に記載の構成。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
インプラントにおける体液の分泌に応じて解放されてインプラントの周囲に新生骨（１１、１２、１３、１４、１５）を形成するように意図された、ここでＧＳＳと呼ぶ成長刺激物質を有しまたは含み、顎骨（１）に連続して配設される二本またはそれ以上のインプラント（８、９、１０）の構成であって、前記インプラントがＧＳＳの解放プロセスと協働して、前記顎骨の広がりに沿って水平および／または垂直方向のならし効果、および／または垂直方向の高さ引上げ効果を可能にするように設計されることを特徴とする構成。
【請求項２】
前記顎骨（１）が横断面に一つまたはそれ以上の陥凹部（３１、３２）を有し、一つまたはそれ以上の第一インプラント（３４、３５）が一つまたはそれ以上の陥凹部に配設されるときに、陥凹部に装着されたインプラントにおける前記解放機能が、前記顎骨のより高い部分（３８、３９）に配設されたインプラントに比べて大きいことを特徴とする、請求項１に記載の構成。
【請求項３】
前記解放機能が前記顎骨（１）全体に沿って高さを引き上げるように設計されることを特徴とする、請求項１または２に記載の構成。
【請求項４】
前記インプラントを顎骨の軟組織および適切な場合には後者に属する骨膜（１６）で被覆することができることを特徴とする、請求項１、２、または３に記載の構成。
【請求項５】
一つまたはそれ以上の補強要素、例えば高分子膜またはチタン板が前記顎骨および前記軟組織／骨膜（１６）に接続して配設されることを特徴とする、請求項４に記載の構成。
【請求項６】
前記補強要素（２７、４６）が一時的または永久的性質のものであり、永久的性質である場合、前記要素が、インプラントに接続可能な歯科構造物、例えばブリッジ（６２）に適用することができる相補的要素であることを特徴とする、請求項５に記載の構成。
【請求項７】
各補強要素（２７、４６）が固定部材、例えば一つまたはそれ以上のねじ（２８、２９）によって前記顎骨に固定することができることを特徴とする、請求項５または６に記載の構成。
【請求項８】
前記補強要素（４６）が前記顎骨の頂面に、または前記顎骨の垂直側面に沿って延在することを特徴とする、請求項５、６、または７に記載の構成。
【請求項９】
各補強要素がアーム状部材（２７）を備え、それを介して前記補強要素を前記顎骨に固定することができることを特徴とする、請求項８に記載の構成。
【請求項１０】
初期段階で第一インプラント（３４）が、第二インプラント（３６）の外側部分または外面（３６ｂ）より大きい露出度を有する第一の外側部分（３４ａ）または外面を有することを特徴とする、請求項１ないし９のいずれかに記載の構成。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
インプラントがその位置で顎骨穴（２）に嵌め込まれたときに、顎骨に分泌される細胞を含む体液（９）、例えば幹細胞を含む体液と相互作用し、こうしてインプラント沿いに新生骨を形成するように配設される、ＧＳＳと呼ばれる単数または複数の成長刺激物質を含有するインプラント（１５）用の構成であって、顎骨穴の壁に当てて配置することができる外面がインプラントに設けられ、前記外面に第一直径（Ｄ）または半径（Ｒ）の第一部分（３、４）および第一直径または半径より小さい第二直径（Ｄ’）または半径（Ｒ’）の第二部分（３ａ、４ａ）が配設されること、およびインプラントが第一部分を介して穴の壁に支承されあるいはそれと協働し、かつ第二部分によって穴の壁と一緒に一つまたはそれ以上の閉鎖空間（１５、１５）を形成し、その中に体液を浸透させることができ、かつＧＳＳをそこに解放させることができることを特徴とする構成。
【請求項２】
顎骨穴（２）の壁に当てて配置することのできる外面が、一つまたはそれ以上のねじ山（３、４）またはねじ部を設けること、および第一部分がねじ山またはねじ部のねじ山の頂または外ねじ部を含み、第二部分はねじ山の底部または内側部分を含み、前記閉鎖空間（５）は、ねじ山の頂またはねじ山の外部の間に位置することを特徴とする、請求項１に記載の構成。
【請求項３】
各ねじ山がインプラントの外周の全部または大部分に沿って延在することを特徴とする、請求項２に記載の構成。
【請求項４】
外表面またはねじ山に多孔質酸化物層を設け、それによってＧＳＳをインプラント上に貯蔵することができることを特徴とする、請求項１、２ないし３のいずれかに記載の構成。
【請求項５】
インプラントが前記閉鎖空間（５）にＧＳＳの総量の多くを保持することを特徴とする、請求項１〜４のいずれかに記載の構成。
【請求項６】
インプラントがその位置で顎骨穴（２）に嵌め込まれたときに、第一部分は穴壁とある程度協働するように構成され、それにより顎骨内のインプラントの初期位置安定性がもたらされることを特徴とする、請求項１〜５のいずれかに記載の構成。
【請求項７】
第一部分（３、４）が、第二部分の上の第一部分の高さの５〜２０％の範囲の顎骨内への貫入を持つことを特徴とする請求項６に記載の構成。
【請求項８】
外ねじまたは外側部分は、一方において顎骨の穴壁におけるねじ込み機能をもたらし、他方において前記閉鎖空間（５）の形成をもたらすねじ山の深さを持つことを特徴とする、請求項１〜７のいずれかに記載の構成。
【請求項９】
インプラントが、燐酸カルシウム、自己骨、同種異系骨、異種移植片、ポリマー材料等とおそらく協働して同一または異なる濃度のＧＳＳが充填または提供される、長手方向および／または横方向の陥凹（１６および５’’、５’’’）を持つことを特徴とする、請求項１〜８のいずれかに記載の構成。
【請求項１０】
穴形成または歯根の抜去によって形成された顎骨穴（４）に嵌め込まれることができるインプラントであって、一方において、新生骨が形成されるように体液中の細胞と相互作用するために配設されるＧＳＳと呼ばれる成長刺激物質の形の骨誘導物質が顎骨穴で囲まれた空間に施与され、他方においてその内側部分が、顎骨の穴の内側部分の線に近接しまたは実質的に近似するように構成されることを特徴とするインプラント。
【請求項１１】
前記インプラントが実質的に歯の歯根のように伸びあるいは分岐するように設計されることを特徴とする、請求項１０に記載のインプラント。
【請求項１２】
前記インプラントがその内側部分で前記インプラントの主たる長手方向の広がりに対して弯曲することを特徴とする、請求項１０または１１に記載のインプラント。
【請求項１３】
前記インプラントが主方向に対して配設された二つまたは三つの部分を持つように構成されることを特徴とする、請求項１２に記載のインプラント。
【請求項１４】
前記穴にその位置で嵌め込まれたときに、内側部分と穴の壁との間に一つまたはそれ以上の空間が形成されることができ、前記空間内で前記相互作用が行われるように意図されることを特徴とする、請求項１０〜１３のいずれかに記載のインプラント。
【請求項１５】
インプラントが少なくともその内側分岐部で、分岐の外面に成長刺激物質を含むことを特徴とする、請求項１０〜１４のいずれかに記載のインプラント。
【請求項１６】
インプラントが、インプラントに加えられる下向きまたは内向きの好ましくは手動的性質の押圧力によって、顎骨に嵌め込むことができることを特徴とする、請求項１０〜１５のいずれかに記載のインプラント。
【請求項１７】
インプラントの内側部分の各分岐の外面に、表面粗さまたは多孔質酸化物層を設け、それによってＧＳＳを同一または変動濃度の層状に貯蔵することができることを特徴とする、請求項１０〜１６のいずれかに記載のインプラント。
【手続補正２】
【補正対象書類名】明細書
【補正対象項目名】００１０
【補正方法】変更
【補正の内容】
【００１０】
本発明のさらなる展開では、顎骨穴の壁に当てて配置することのできる外面に、一つまたはそれ以上のねじ山またはねじ部を設けること、および第一部分がねじ山またはねじ部のねじ山の頂または外ねじ部を含むことを提案する。この場合、第二部分はねじ山の底部または内側部分を含み、したがって、上記閉鎖空間は、ねじ山の頂またはねじ山の外部の間に位置する。各ねじ山はインプラントの外周の全部または大部分に沿って延在することができる。外表面またはねじ山には多孔質の層を設けることができ、それによってＧＳＳをインプラント上に貯蔵することができる。こうしてインプラントは、上記閉鎖空間にＧＳＳの多く（より高い濃度）を保持することができ、インプラントにＧＳＳを移植することができ、これにより数ナノメートルの厚さの外皮をもたらすことができる。一般的に、厚さは数オングストロームから数マイクロメートルまで選択することができる。第一部分は穴壁と協働するように構成することができ、それにより顎骨内のインプラントの初期位置安定性がもたらされる。したがって、第一部分は、第二部分の上の第一部分の高さの５〜２０％の範囲の顎骨内への貫入を持つことができる。外ねじまたは外側部分は、一方において顎骨の穴壁におけるねじ込み機能をもたらし、他方において上記閉鎖空間の形成をもたらすねじ山の深さを持つように構成することができる。別の実施形態では、インプラントは、上記タイプの材料または代替物とおそらく協働してＧＳＳが充填または提供される、長手方向および／または横方向の陥凹を持つように設計される。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
インプラント表面の少なくとも一部分上にフッ素および／またはフッ化物を付与し、そして
二乗平均平方根粗さ（Ｒqおよび／またはＳq）≦２５０ｎｍを有するミクロ粗さを与える
ことを包含することを特徴とする、骨組織中へのインプラント化を意図したインプラント表面を処理する方法。
【請求項２】
インプラント表面の少なくとも一部分上にフッ素および／またはフッ化物を付与し、そして
≦１μｍの細孔直径および≦５００ｎｍの細孔深さを有する細孔を含むミクロ粗さを与える
ことを包含することを特徴とする、骨組織中へのインプラント化を意図したインプラント表面を処理する方法。
【請求項３】
細孔直径が５０ｎｍ〜１μｍの範囲にありまた細孔深さが５０〜５００ｎｍの範囲にある請求項２に記載の方法。
【請求項４】
二乗平均平方根粗さ（Ｒqおよび／またはＳq）≦２５０ｎｍが与えられる請求項２または３に記載の方法。
【請求項５】
フッ素および／またはフッ化物の平均原子濃度少なくとも０.２ａｔ％が与えられる請
求項１〜４のいずれか１項に記載の方法。
【請求項６】
フッ素および／またはフッ化物の平均原子濃度が０.４〜７ａｔ％の範囲にある請求項
５に記載の方法。
【請求項７】
インプラント表面が金属インプラント表面である請求項１〜６のいずれか１項に記載の方法。
【請求項８】
金属インプラント表面をフッ化水素酸の水溶液で処理することによりフッ素および／またはフッ化物が付与されそしてミクロ粗さが与えられる請求項７に記載の方法。
【請求項９】
フッ化水素酸の濃度が０.５Ｍより低い請求項８に記載の方法。
【請求項１０】
金属インプラント表面が室温で１８０秒までのエッチング時間にわたって処理される請求項９に記載の方法。
【請求項１１】
フッ化水素酸の濃度が０.１Ｍでありそして室温でのエッチング時間が６０秒までである
請求項１０に記載の方法。
【請求項１２】
フッ素および／またはフッ化物を付与する前そしてミクロ粗さを与える前にインプラント表面上にマクロ粗さを与えることをさらに包含する請求項１〜１１のいずれか１項に記載の方法。
【請求項１３】
マクロ粗さがインプラント表面をブラスチングすることにより与えられる請求項１２に記載の方法。
【請求項１４】
金属インプラント表面が商業的純度のチタンまたはチタン合金からできている請求項７〜１３のいずれか１項に記載の方法。
【請求項１５】
請求項１〜１４のいずれか１項に記載の方法によって少なくとも一部分が処理されているインプラント表面を有する、骨組織内へのインプラント化のためのインプラント。
【請求項１６】
インプラント表面の少なくとも一部分が、フッ素および／またはフッ化物を含み、また二乗平均平方根粗さ（Ｒqおよび／またはＳq）≦２５０ｎｍであるミクロ粗さを有することを特徴とするインプラント表面を有する、骨組織内にインプラント化するためのインプラント。
【請求項１７】
インプラント表面の少なくとも一部分が、フッ素および／またはフッ化物を含み、また≦１μｍの細孔直径および≦５００ｎｍの細孔深さをもつ細孔を含むミクロ粗さを有することを特徴とするインプラント表面を有する、骨組織内にインプラント化するためのインプラント。
【請求項１８】
細孔直径が５０ｎｍ〜１μｍの範囲にありそして細孔深さが５０〜５００ｎｍの範囲にある請求項１７に記載のインプラント。
【請求項１９】
ミクロ粗さが二乗平均平方根粗さ（Ｒqおよび／またはＳq）≦２５０ｎｍを有する請求項１７または１８に記載のインプラント。
【請求項２０】
ミクロ粗さが、細孔深さの半分におけるピーク幅が細孔直径の１５〜１５０％であるピークを含む請求項１６〜１９のいずれか１項に記載のインプラント。
【請求項２１】
インプラント表面の少なくとも一部分がフッ素および／またはフッ化物少なくとも０．２ａｔ％の平均原子濃度を有する請求項１６〜２０のいずれか１項に記載のインプラント。
【請求項２２】
フッ素および／またはフッ化物の平均原子濃度が０.４〜７ａｔ％の範囲にある請求項
２１に記載のインプラント。
【請求項２３】
インプラント表面がマクロ粗さをさらに有する請求項１６〜２２のいずれか１項に記載のインプラント。
【請求項２４】
インプラントが金属インプラントである請求項１６〜２３のいずれか１項に記載のインプラント。
【請求項２５】
金属インプラントが商業的純度のチタンまたはチタン合金からできている請求項２４に記載のインプラント。
【請求項２６】
インプラントが歯科インプラントである請求項１６〜２５のいずれか１項に記載のインプラント。
【請求項２７】
インプラントが整形外科インプラントである請求項１６〜２５のいずれか１項に記載のインプラント。